(57)【要約】【課題】表面から空気を通過させた場合と裏面から空気を通過させた場合に水の蒸発量が異なるフィルタ部材で形成されている加湿フィルタの表裏を誤って装着するのを防止し、適正な加湿性能を発揮させる。【解決手段】加湿フィルタ組立体７０は、複数の位置決めピン７７を有するフィルタ枠７２と、位置決め孔７４を有する加湿フィルタ７１とを備えている。加湿フィルタ７１は、フィルタ枠７２に表裏が正しい方向に装着されている正しい装着の場合と逆方向に装着されている誤った装着の場合とで含まれている水の蒸発量が異なるフィルタ部材で形成されている。正しい装着の場合に位置決めピン７７が位置決め孔７４に挿入されるが、誤った装着の場合には位置決めピン７７が位置決め孔７４に挿入できない。【選択図】図３
2015068617.tif 000002
【特許請求の範囲】
【請求項１】
少なくとも一つの位置決めピン（７７，７９）を有するフィルタ枠（７２，７２Ａ）と、
前記フィルタ枠に表裏が正しい方向に装着されている正しい装着の場合と逆方向に装着されている誤った装着の場合とで含まれている水の蒸発量が異なるフィルタ部材で形成され、前記正しい装着の場合に前記位置決めピンが挿入されるが前記誤った装着の場合には前記位置決めピンが挿入できない少なくとも一つの位置決め孔（７４，７８）を有する加湿フィルタ（７１，７１Ａ）と
を備える、加湿フィルタ組立体。
【請求項２】
前記フィルタ枠と前記加湿フィルタは、装着されたときに互いに一致する中心に対して、それぞれ回転対称な形状に形成され、
前記フィルタ枠の少なくとも一つの前記位置決めピン（７７）は、前記中心と一致する中心を持つ円周上に異なる間隔で順に配置されている第１ピン、第２ピン及び第３ピンを含み、
前記加湿フィルタの少なくとも一つの前記位置決め孔（７４）は、前記正しい装着の場合に前記第１ピンが挿入される第１孔と前記第２ピンが挿入される第２孔と前記第３ピンが挿入される第３孔とを含む、
請求項１に記載の加湿フィルタ組立体。
【請求項３】
前記加湿フィルタは、加湿を行うための本体部（９０）と前記本体部の外周から外側に向かって延びていて少なくとも一つの前記位置決め孔（７８）が形成されている外周の圧着部（９１）を有し、前記誤った装着の場合に少なくとも一つの前記位置決め孔に少なくとも一つの前記位置決めピン（７９）が届かないように前記圧着部が前記本体部の厚み方向の前記フィルタ枠に接触する側にずらして配置されている、
請求項１又は請求項２に記載の加湿フィルタ組立体。
【請求項４】
請求項１から３のいずれか一項に記載の加湿フィルタ組立体（７０，７０Ａ）と、
前記加湿フィルタ組立体の前記加湿フィルタの表側から裏側に向かう空気の流れを生成するファン（３０）と
を備える加湿装置。
【発明の詳細な説明】
【技術分野】
【０００１】
本発明は、加湿フィルタ組立体及びそれを備える加湿装置に関する。
【背景技術】
【０００２】
従来の加湿装置は、例えば特許文献１（特開２０１１−５８６６１号公報）に記載されているように、円板形状の加湿フィルタを備え、円板形状の加湿フィルタに空気を通過させることにより加湿フィルタに含ませた水を蒸発させるものがある。一般に、このような円板形状の加湿フィルタは、加湿フィルタの外周部と重なるリング状のフィルタ枠によって支えられる。
【発明の概要】
【発明が解決しようとする課題】
【０００３】
特許文献１に記載されている加湿フィルタは、ハニカム状の開口が多数形成されていることから加湿フィルタに表裏がないものと推察される。ところが、加湿フィルタに用いることのできるフィルタ部材の中には、フィルタ部材を構成している繊維などの構成要素が表面と裏面とで異なるものがある。例えば、繊維の方向が異なると、加湿フィルタの表面から空気を通過させる場合と、裏面から空気を通過させる場合とで水の蒸発の仕方が異なる。そのため、このような表裏で水の蒸発の仕方が異なるフィルタ部材を用いた場合、加湿フィルタの表面と裏面の方向を正しく装着した場合と誤って装着した場合とで加湿性能に差が生じることが考えられる。
【０００４】
本発明の課題は、表面から空気を通過させた場合と裏面から空気を通過させた場合に水の蒸発量が異なるフィルタ部材で形成されている加湿フィルタの表裏を誤って装着するのを防止し、適正な加湿性能を発揮させることである。
【課題を解決するための手段】
【０００５】
本発明の第１観点に係る加湿フィルタ組立体は、少なくとも一つの位置決めピンを有するフィルタ枠と、フィルタ枠に表裏が正しい方向に装着されている正しい装着の場合と逆方向に装着されている誤った装着の場合とで含まれている水の蒸発量が異なるフィルタ部材で形成され、正しい装着の場合に位置決めピンが挿入されるが誤った装着の場合には位置決めピンが挿入できない少なくとも一つの位置決め孔を有する加湿フィルタとを備えるものである。
【０００６】
第１観点の加湿フィルタ組立体においては、表裏を誤った装着の場合には、装着しようとしても位置決めピンが位置決め孔に嵌らないものが出てくるので加湿フィルタをフィルタ枠に完全に装着することができない。そのため、加湿フィルタをフィルタ枠に常に正しく装着できる。
【０００７】
本発明の第２観点に係る加湿フィルタ組立体は、第１観点の加湿フィルタ組立体において、フィルタ枠と加湿フィルタは、装着されたときに互いに一致する中心に対して、それぞれ回転対称な形状に形成され、フィルタ枠の少なくとも一つの位置決めピンは、中心と一致する中心を持つ円周上に異なる間隔で順に配置されている第１ピン、第２ピン及び第３ピンを含み、加湿フィルタの少なくとも一つの位置決め孔は、正しい装着の場合に第１ピンが挿入される第１孔と第２ピンが挿入される第２孔と第３ピンが挿入される第３孔とを含む、ものである。
【０００８】
第２観点の加湿フィルタ組立体においては、第１ピンと第２ピンの間隔と第２ピンと第３ピンの間隔が異なるので、正しい装着の場合には第１ピンが第１孔に挿入でき、第２ピンが第２孔に挿入でき、第３ピンが第３孔に挿入できる。しかし、フィルタの表裏が逆になって誤った装着になると第１ピンが第３孔に対応し、第２ピンが第２孔に対応し、第３ピンが第１孔に対応するので、第１ピンと第２ピンの間隔に第３孔と第２孔の間隔が合わず、第２ピンと第３ピンの間隔に第２孔と第１孔の間隔が合わないので装着ができない。
【０００９】
本発明の第３観点に係る加湿フィルタ組立体は、第１観点又は第２観点の加湿フィルタ組立体において、加湿フィルタは、加湿を行うための本体部と本体部の外周から外側に向かって延びていて少なくとも一つの位置決め孔が形成されている外周の圧着部を有し、誤った装着の場合に少なくとも一つの位置決め孔に少なくとも一つの位置決めピンが届かないように圧着部が本体部の厚み方向のフィルタ枠に接触する側にずらして配置されている、ものである。
【００１０】
第３観点の加湿フィルタ組立体においては、誤った装着の場合には圧着しようとしても位置決めピンが位置決め孔に届かないので加湿フィルタをフィルタ枠に装着できない。そのため、加湿フィルタをフィルタ枠に常に正しく装着できる。
【００１１】
本発明の第４観点に係る加湿装置は、請求項１から３のいずれか一項に記載の加湿フィルタ組立体と、加湿フィルタ組立体の加湿フィルタの表側から裏側に向かう空気の流れを生成するファンとを備えるものである。
【００１２】
第４観点の加湿装置においては、誤った装着の場合には圧着しようとしても位置決めピンが位置決め孔に届かないので加湿フィルタをフィルタ枠に装着できないため、加湿フィルタをフィルタ枠に常に正しく装着できる。
【発明の効果】
【００１３】
本発明の第１観点に係る加湿フィルタ組立体では、表面から空気を通過させた場合と裏面から空気を通過させた場合に水の蒸発量が異なるフィルタ部材で形成されている加湿フィルタの表裏を誤って装着するのを加湿フィルタの位置決め孔とフィルタ枠の位置決めピンとによって防止し、適正な加湿性能を発揮させることができる。
【００１４】
本発明の第２観点に係る加湿フィルタ組立体では、円周上に異なる間隔で順に配置されている第１ピン、第２ピン及び第３ピン並びに第１孔、第２孔及び第３孔を含むという簡単な構成により、正しい装着の場合に位置決めピンが挿入されるが誤った装着の場合には位置決めピンが挿入できない構成を実現できる。
【００１５】
本発明の第３観点に係る加湿フィルタ組立体では、位置決めピンが届かないように圧着部を本体部の厚み方向のフィルタ枠に接触する側にずらして配置するという簡単な構成により、正しい装着の場合に位置決めピンが挿入されるが誤った装着の場合には位置決めピンが挿入できない構成を実現できる。
【００１６】
本発明の第４観点に係る加湿装置では、表面から空気を通過させた場合と裏面から空気を通過させた場合に水の蒸発量が異なるフィルタ部材で形成されている加湿フィルタの表裏を誤って装着するのをフィルタ枠の位置決めピンによって防止できる。それにより、加湿装置は、適正な加湿性能を発揮することができる。
【図面の簡単な説明】
【００１７】
【図１】本発明の実施形態に係る加湿装置の概要を説明するための模式的な断面図。
【図２】第１実施形態に係る加湿ロータの分解斜視図。
【図３】第１実施形態に係る加湿フィルタ組立体の斜視図。
【図４】（ａ）正しく装着されたときの加湿フィルタの位置決め孔とフィルタ枠の位置決めピンの位置関係を説明するための模式的な平面図、（ｂ）誤って装着されたときの加湿フィルタの位置決め孔とフィルタ枠の位置決めピンの位置関係を説明するための模式的な平面図。
【図５】（ａ）第２実施形態に係る加湿フィルタ組立体の構成を説明するための模式的な拡大断面図、（ｂ）誤った装着時の加湿フィルタの位置決め孔とフィルタ枠の位置決めピンの位置関係を説明するための模式的な拡大断面図。
【図６】従来の加湿フィルタの構成を説明するための模式的な拡大断面図。
【発明を実施するための形態】
【００１８】
＜第１実施形態＞
（１）加湿装置の概要
以下、本発明の第１実施形態に係る加湿装置について図面を用いて説明する。図１は、加湿装置の一例を示す模式的な断面図である。図１に示されている加湿装置１０は、加湿機能と空気清浄機能を有しており、加湿機能と空気清浄機能とを同時に発揮することが可能な構成になっている。
【００１９】
加湿装置１０には、ケーシング２０の側面に形成されている吸込口２１とケーシング２０の上面に形成されている吹出口２２とを有している。ケーシング２０内には、図２に示されているように、送風機３０、空気清浄ユニット４０、加湿ユニット５０及び制御ユニット（図示せず）が収容されている。送風機３０や空気清浄ユニット４０や加湿ユニット５０は、制御ユニットにより制御される。
【００２０】
ケーシング２０の内部では、空気清浄ユニット４０、加湿ユニット５０及び送風機３０の順に正面側から並んで配置されている。つまり、送風機３０の配置位置は、ケーシング２０の背面側になっている。この送風機３０によって、室内空気が吸込口２１からケーシング２０の中に吸い込まれ、吸い込まれた空気が空気清浄ユニット４０及び加湿ユニット５０を順に通過し、そして清浄空気が吹出口２２からケーシング２０の上方に吹出されるという空気流路が形成される。
【００２１】
空気清浄ユニット４０は、正面側から順に配置されているプレフィルタ４１とイオン化部４２とプリーツフィルタ４３と脱臭触媒４４とを含んでいる。プレフィルタ４１は、吸込口２１から吸い込まれた空気中の塵埃を捕捉する。イオン化部４２は、プレフィルタ４１で大きな塵埃が取り除かれた後の空気に残っている小さな塵埃を帯電させる。プリーツフィルタ４３は、イオン化部４２で帯電された塵埃を吸着する。脱臭触媒４４は、プレフィルタ４１、イオン化部４２及びプリーツフィルタ４３を通過した空気のニオイや有毒ガスを吸着して分解する。
【００２２】
加湿ユニット５０は、図１に示されているように、水トレー５１と加湿ロータ５２とを含んでいる。加湿ロータ５２は、加湿時には、駆動モータ（図示せず）から駆動力が伝達される駆動ギア５３によって回転させられる。加湿ロータ５２は、水トレー５１の水に浸かっている部分で水の供給を受けて、通過する空気を加湿する。水トレー５１には、空気清浄ユニット４０を通過する空気に供給される水が貯留されている。この水トレー５１は、ケーシング２０内に収納される水タンク（図示せず）から水の補給を受ける。
【００２３】
（２）加湿ロータの詳細構成
図２は、加湿ロータ５２の分解斜視図である。加湿ロータ５２は、第１車輪６０と加湿フィルタ組立体７０と第２車輪８０とが回転軸５５を同軸として組み合わさることにより構成される。加湿ロータ５２は、その中心部に位置する回転軸５５を介して、軸受部（図示せず）に着脱可能および回転可能に支持されている。加湿ロータ５２は、回転することによって、水トレー５１内に貯められる水を汲み上げることができ、上述したように加湿ロータ５２を通過する空気に水分を供給することができる。
【００２４】
（２−１）第１車輪６０
第１車輪６０は、円形状を有する枠部６１と、枠部６１の正面側の外周縁部分に配置される水ポケット群６２とから構成される。枠部６１は、開口の形成されている円板状の部材から構成され、外周部近傍を構成する外枠部６１ａと、外枠部６１ａのそれぞれの所定位置から半径方向内側に向かって延びる複数のアーム部６１ｂと、アーム部６１ｂの略中央部を通るような円形状を有しアーム部６１ｂに連結される内枠部６１ｃとを有する。また、枠部６１の略中心部には、回転軸５５を貫通させるための円ボス部６１ｄが形成されている。複数のアーム部６１ｂは、この円ボス部６１ｄに向かって延びている。
【００２５】
外枠部６１ａは、外周部近傍を構成するリング状の外周部６１ａａと、外周部６１ａａの略中央部よりも半径方向内側の位置から正面側に略鉛直方向に立ち上がるリング状の鉛直部６１ａｂとを有する。外周部６１ａａの鉛直部６１ａｂよりも半径方向外側の部分に、複数の開口６１ａｃが形成されている。
【００２６】
水ポケット群６２は、外枠部６１ａの正面側の外周縁部分に放射線状に等間隔に配置される複数の水ポケット部６２ａからなる。水ポケット部６２ａは、外周部６１ａａおよび鉛直部６１ａｂに一体的に形成されている。
【００２７】
水ポケット部６２ａの内部には、加湿ロータ５２の回転方向の下流側から上流側にかけて凹む水ポケット凹部６２ｂが形成される。複数の水ポケット部６２ａは、加湿ロータ５２の回転により、各々が順次水トレー５１内に浸水し上昇し、また浸水するといった動作を繰り返す。水ポケット部６２ａが浸水すると、水ポケット凹部６２ｂ内に水が流入する。次に、水ポケット部６２ａが加湿ロータ５２の回転方向に上昇し最上位置に近付くにしたがって水ポケット凹部６２ｂ内に溜まった水は、外周部６１ａａに形成される開口６１ａｃを介して加湿フィルタ組立体７０の側面（正面側部分）に向かって流れ、水ポケット部６２ａが最上位置を通過したときにほぼ全ての水が加湿フィルタ組立体７０の側面に対して流れる。これにより、加湿フィルタ組立体７０の加湿フィルタ７１の全体に水が行きわたるようになっている。
【００２８】
（２−２）加湿フィルタ組立体７０
加湿フィルタ組立体７０は、円板形状の加湿フィルタ７１と加湿フィルタ７１を支えるフィルタ枠７２とを備えており、水ポケット群６２によって水の供給を受ける。加湿フィルタ７１は、例えば、不織布等によって構成されている。加湿フィルタ組立体７０は、第１車輪６０と第２車輪８０との間に配置される。加湿フィルタ組立体７０は、特に、第１車輪６０の外周部６１ａａの鉛直部６１ａｂよりも半径方向内側の部分に嵌まるように配置されている。また、加湿フィルタ組立体７０の中心部には、回転軸５５を貫通させるための円形状の開口７３が形成されている。この開口７３は、第１車輪６０、加湿フィルタ組立体７０および第２車輪８０が組み合わさった状態において、第１車輪６０の円ボス部６１ｄおよび第２車輪８０の円ボス部８４に対向する位置に設けられる。また、加湿フィルタ組立体７０の表裏が正しく第１車輪６０と第２車輪８０に挟まれるように、第１車輪６０に嵌りこむ位置決め部材７５が設けられている（図３参照）。
【００２９】
水トレー５１がケーシング２０の所定位置に収容されている状態（加湿ロータ５２が水トレー５１に正規に取り付けられている状態）において、加湿フィルタ７１の最下部は、水トレー５１内の水の満水位置よりも上方に位置している。すなわち、加湿フィルタ７１は、水トレー５１内に浸水しないようになっている。
【００３０】
加湿フィルタ７１は、フィルタ枠に取り付けるための複数の位置決め孔７４を外周近傍に有している。加湿フィルタ組立体７０は、外周が加熱プレスされて板状に固められている。複数の位置決め孔７４は、この板居状に固められた外周に加湿フィルタ組立体７０の開口７３と同心円上に配置されている。これら複数の位置決め孔７４の間隔は、一定ではなく、一部の間隔が他の間隔と異なっている。例えば、位置決め孔７４ｂ，７４ｃの間隔は、位置決め孔７４ａ，７４ｂの間隔に比べて狭くなっており、位置決め孔７４ｂ，７４ｃの間隔は、位置決め孔７４ｃ，７４ｄの間隔に比べて狭くなっている。
【００３１】
（２−３）第２車輪８０
第２車輪８０は、第１車輪６０に嵌合し、第１車輪６０と略同一の大きさ（径）を有する円板状の部材である。第２車輪８０にも第１車輪６０と同様に空気が通過する開口が形成されている。第２車輪８０は、外枠部８１と複数のアーム部８２と内枠部８３とを有する。また、第２車輪８０の略中央部には、第１車輪６０の円ボス部６１ｄに嵌合し、回転軸５５を貫通させるための第２車輪８０の円ボス部８４が形成されている。複数のアーム部８２はそれぞれ、外枠部８１の内縁部から第２車輪８０の円ボス部８４に延び、外枠部８１と円ボス部８４を連結している。外枠部８１の外周部には第１ギア８５が形成されている。内枠部８３は、複数のアーム部８２の略中央部を通るリング状の部分である。外枠部８１の外周部には第１ギア８５が形成されている。
【００３２】
（２−４）回転軸５５
回転軸５５は、第１車輪６０の円ボス部６１ｄ、加湿フィルタ組立体７０の開口７３及び第２車輪８０の円ボス部８４に貫通し、加湿ロータ５２全体が回転する際の軸となる部材である。駆動ギア５３は、加湿ロータ５２に形成される第１ギア８５と噛み合うような位置に固定されている。
【００３３】
（３）加湿フィルタ組立体７０の組み立て
加湿フィルタ組立体７０の加湿フィルタ７１は、フィルタ枠７２つまり第１車輪６０と第２車輪８０に表裏が正しい方向に装着されている正しい装着の場合と逆方向に装着されている誤った装着の場合とで含まれている水の蒸発量が異なるフィルタ部材で形成されている。そのため、加湿装置１０は、加湿フィルタ７１が正しく装着された場合に十分な加湿機能を発揮するが、逆向きに装着された場合には十分な加湿ができない。
【００３４】
図３は、正しく装着されている加湿フィルタ７１についての説明を行なうための加湿フィルタ組立体７０の模式的な斜視図である。図３に示されているように、加湿フィルタ７１の端は、複数のクリップ７６で挟まれて固定されている。また、図２に示されている加湿フィルタ組立体７０の開口７３は、回転軸５５に嵌って第１車輪６０と第２車輪８０に挟まれて固定される。
【００３５】
図３に示されているのは加湿フィルタ７１が正しく装着されている状態であるから、フィルタ枠７２に設けられている複数の位置決めピン７７は、複数の位置決め孔７４に全て嵌め込まれている。例えば、位置決めピン７７ａ，７７ｂの間隔は加湿フィルタ組立体７０の位置決め孔７４ａ，７４ｂの間隔に一致し、位置決めピン７７ｂ，７７ｃの間隔は位置決め孔７４ｂ，７４ｃの間隔に一致し、位置決めピン７７ｃ，７７ｄの間隔は位置決め孔７４ｃ，７４ｄの間隔に一致する。
【００３６】
図４（ｂ）には表裏を誤って装着しようとしたときの加湿フィルタ組立体７０の位置決め孔７４と位置決めピン７７との関係が模式的に示され、図４（ａ）には表裏が正しく装着された場合の位置決め孔７４と位置決めピン７７との関係が模式的に示されている。説明を分かり易くするために、位置決め孔７４は実際よりも大きく描かれている。図４（ａ）と図４（ｂ）とを比較して分かるように、正しく装着されないと位置決めピン７７ｃが位置決め孔７４ｃに入らないので、ユーザは常に加湿フィルタ組立体７０の表裏を正しく装着せざるを得なくなる。
【００３７】
（４）特徴
加湿フィルタ組立体７０は、複数の位置決めピン７７を有するフィルタ枠７２と、位置決め孔７４を有する加湿フィルタ７１とを備えている。加湿フィルタ７１は、フィルタ枠７２に表裏が正しい方向に装着されている正しい装着の場合と逆方向に装着されている誤った装着の場合とで含まれている水の蒸発量が異なるフィルタ部材で形成されている。そして、正しい装着の場合に全ての位置決めピン７７が全ての位置決め孔７４に挿入されるが、誤った装着の場合には位置決めピン７７が挿入できない位置決め孔７４が出てくる。表裏を誤った装着の場合には、装着しようとしても位置決めピン７７が位置決め孔７４に届かないものが出てくるので加湿フィルタ７１をフィルタ枠７２に完全に装着することできない。そのため、加湿フィルタをフィルタ枠に常に正しく装着できる。表面から空気を通過させた場合と裏面から空気を通過させた場合に水の蒸発量が異なるフィルタ部材で形成されている加湿フィルタ７１の表裏を誤って装着するのを加湿フィルタ７１の位置決め孔７４とフィルタ枠７２の位置決めピン７７によって防止し、適正な加湿性能を発揮させることができる。
【００３８】
特に、フィルタ枠７２と加湿フィルタ７１は、装着されたときに互いに一致する中心に対して、それぞれ回転対称な形状に形成され、フィルタ枠７２の複数の位置決めピン７７は、中心と一致する中心を持つ円周上に異なる間隔で順に配置されている位置決めピン７７ａ（第１ピンの例）、位置決めピン７７ｂ（第２ピンの例）及び位置決めピン７７ｃ（第３ピンの例）を含み、加湿フィルタ７１の複数の位置決め孔７４は、正しい装着の場合に位置決めピン７７ａが挿入される位置決め孔７４ａ（第１孔の例）と位置決めピン７７ｂが挿入される位置決め孔７４ｂ（第２孔の例）と位置決めピン７７ｃが挿入される位置決め孔７４ｃ（第３孔の例）とを含んでいる。
【００３９】
位置決めピン７７ａと位置決めピン７７ｂの間隔と位置決めピン７７ｂと位置決めピン７７ｃの間隔が異なるので、正しい装着の場合には位置決めピン７７ａが位置決め孔７４ａに挿入でき、位置決めピン７７ｂが位置決め孔７４ｂに挿入でき、位置決めピン７７ｃが位置決め孔７４ｃに挿入できる。しかし、フィルタの表裏が逆になって誤った装着になると例えば位置決めピン７７ａが位置決め孔７４ｃに対応し、位置決めピン７７ｂが位置決め孔７４ｂに対応し、位置決めピン７７ｃが位置決め孔７４ａに対応するので、位置決めピン７７ａと位置決めピン７７ｂの間隔に位置決め孔７４ｃと位置決め孔７４ｂの間隔が合わず、位置決めピン７７ｂと位置決めピン７７ｃの間隔に位置決め孔７４ｂと位置決め孔７４ａの間隔が合わないので装着ができない。同様に、位置決めピン７７ｂ，７７ｃ，７７ｄ及び位置決め孔７４ｂ，７４ｃ，７４ｄの間隔が合わないので装着できない。このように円周上に異なる間隔で順に配置されている位置決めピン７７ａ，７７ｂ，７７ｃ及び位置決め孔７４ａ，７４ｂ，７４ｃを含むという簡単な構成又は位置決めピン７７ｂ，７７ｃ，７７ｄ及び位置決め孔７４ｂ，７４ｃ，７４ｄを含むという簡単な構成により、正しい装着の場合に位置決めピン７７が挿入されるが誤った装着の場合には位置決めピン７７が挿入できない構成を実現できる。
【００４０】
（５）変形例
（５−１）変形例１Ａ
上記第１実施形態では、加湿フィルタ７１が円形である場合について説明したが、加湿フィルタ７１は円形以外の形状、例えば四角形や六角形などであってもよい。
【００４１】
（５−２）変形例１Ｂ
上記第１実施形態では、円周上に複数の位置決めピン７７及び複数の位置決め孔７４を配置する場合について説明したが、これらは円周上に形成されていなくてもよい。ただし、円周上に形成されることにより、加湿フィルタ７１を開口７３から均一に延ばして装着でき、凹凸なく平らに装着し易くなる。このように、平らに装着できることで、加湿フィルタ７１への水の供給が不均一になるような不具合の発生を防止できる。
【００４２】
＜第２実施形態＞
（６）加湿フィルタ組立体の構成
上記の第１実施形態の加湿フィルタ組立体７０は、複数の位置決め孔７４及び複数の位置決めピン７７の間隔を不均一にすることにより、加湿フィルタ７１の表裏を常に正しく装着できるように構成されている。しかし、正しい装着の場合に位置決めピンが挿入されるが誤った装着の場合には位置決めピンが挿入できない位置決め孔の構成は第１実施形態の加湿フィルタ組立体７０の構成に限られず、図５（ａ）に示されている第２実施形態の加湿フィルタ組立体７０Ａのように構成することもできる。図５（ａ）には加湿フィルタ組立体７０Ａの部分断面が示されている。第２実施形態の加湿フィルタ組立体７０Ａも第１実施形態の加湿フィルタ組立体７０と同様に、第１車輪６０と第２車輪８０の間に組み込まれて加湿装置１０に装着される。
【００４３】
図５（ａ）に示されている加湿フィルタ組立体７０Ａは、加湿フィルタ７１Ａとフィルタ枠７２Ａとを備えている。この加湿フィルタ組立体７０Ａの加湿フィルタ７１Ａは、本体部９０と圧着部９１とを有している。本体部９０は、不織布等によって構成され、専ら水分を蒸発させる加湿機能を発揮する部分である。圧着部９１は、本体部９０と同じ材質の本体部９０の周囲にある部材を加熱プレスなどによって固めた部分であり、本体部９０と一体に形成されている。圧着部９１に位置決め孔７８が形成されている。本体部９０は、厚み方向の正面側の第１面９０ａと裏面側の第２面９０ｂとを有している。圧着部９１は、第２面９０ｂと面一になるように第２面９０ｂの側にずらして配置されている。第２面９０ｂが裏面側であるからフィルタ枠７２Ａに接触する側である。従って、圧着部９１は、フィルタ枠７２Ａの側にずらして配置されているということができる。
【００４４】
（７）加湿フィルタ組立体７０Ａの組み立て
フィルタ枠７２Ａが第２車輪８０に取り付けられた状態が図５（ａ）に示されている。フィルタ枠７２Ａは、第２車輪８０とは反対側に突出する位置決めピン７９を有している。図５（ａ）に示されているように、正しく装着されたときには、位置決めピン７９が位置決め孔７８に嵌る。そのため、位置決めピン７９が位置決め孔７８に嵌まるように装着することで、ユーザは、第２面９０ｂが第２車輪８０の側（後側）に配置されるように表裏を正しく装着することができる。
【００４５】
もし、表裏を逆に装着しようとすると、図５（ｂ）に示されているように、位置決めピン７９が位置決め孔７８に届かない。このような状況が発生することで、ユーザは、加湿フィルタ７１Ａをフィルタ枠７２Ａに誤った方向で装着しようとしていることを知ることができる。
【００４６】
（８）特徴
加湿フィルタ７１Ａは、加湿を行うための本体部９０と本体部９０の外周から外側に向かって延びていて位置決め孔７８が形成されている外周の圧着部９１を有している。誤った装着の場合に位置決め孔７８に位置決めピン７９が届かないように圧着部９１が本体部９０の厚み方向のフィルタ枠７２Ａに接触する側にずらして配置されている。そのため、表裏を誤った装着の場合には、装着しようとしても位置決めピン７９が位置決め孔７８に届かないので、加湿フィルタ７１Ａをフィルタ枠７２Ａに装着できない。従って、加湿フィルタ７１Ａをフィルタ枠７２Ａに常に正しく装着できる。このような簡単な構成により、正しい装着の場合に位置決めピン７９が位置決め孔７８に挿入されるが誤った装着の場合には位置決めピン７９が挿入できない構成を実現できる。
【００４７】
なお、図６に示されているのが、従来の加湿フィルタ１００を側面から見た状態である。加湿フィルタ１００の本体部１１０の厚み方向の中央部に圧着部１２０が配置されている。そのため、表裏を誤って装着してもユーザは表裏を誤って装着していることに気がつかずに加湿装置を動作させてしまうことがあった。表裏を誤って装着した状態で運転したような場合には、加湿機能が低下して、ユーザが要求した湿度を得るために余分な電力を必要とするなどの不具合が生じていた。
【００４８】
（９）変形例
（９−１）変形例２Ａ
上記第２実施形態では、位置決め孔７８と位置決めピン７９をそれぞれ一つずつ示したが、これらは複数組設けられていてもよい。
【００４９】
（９−２）変形例２Ｂ
上記第２実施形態では、加湿フィルタ７１Ａの平面形状については詳しく説明していないが、加湿ロータ５２の形状に合わせた円形であるのが好ましい。しかし、加湿フィルタ７１Ａは円形以外の形状、例えば四角形や六角形などであってもよい。
【００５０】
（９−３）変形例２Ｃ
上記第２実施形態では、圧着部９１を裏面側にずらす場合について説明した。しかし、圧着部が表面側にずらしたときにフィルタ枠に嵌るように構成することもできる。その場合は、フィルタ枠を前面側に配置し、位置決めピンを裏面側に向けて突出させるように構成すればよい。
【符号の説明】
【００５１】
１０  加湿装置
４０  空気清浄ユニット
５０  加湿ユニット
５２  加湿ロータ
６０  第１車輪
７０  加湿フィルタ組立体
７１，７１Ａ  加湿フィルタ
７２，７２Ａ  フィルタ枠
７４，７４ａ，７４ｂ，７４ｃ，７４ｄ  位置決め孔
７７，７７ａ，７７ｂ，７７ｃ，７７ｄ  位置決めピン
８０  第２車輪
【先行技術文献】
【特許文献】
【００５２】
【特許文献１】特開２０１１−５８６６１号公報
【図１】
2015068617.tif 000003
【図２】
2015068617.tif 000004
【図３】
2015068617.tif 000005
【図４】
2015068617.tif 000006
【図５】
2015068617.tif 000007
【図６】
2015068617.tif 000008